(57)【要約】【課題】第三者にデータ閲覧される可能性を低減する。【解決手段】本発明の携帯端末は、他の端末とケーブルを介して接続可能であり、前記ケーブルを介して接続された他の端末と通信を行う携帯端末であって、データを記憶する記憶部と、前記ケーブルを介して前記他の端末が接続されると、ユーザ認証を行う認証部と、前記記憶部に記憶されているデータの閲覧を要求する旨が前記他の端末から入力されると、前記認証部による前記ユーザ認証が成功している場合には、前記データを前記他の端末に出力する制御部と、を有する。【選択図】図２
2013219482.tif 000002
【特許請求の範囲】
【請求項１】
他の端末とケーブルを介して接続可能であり、前記ケーブルを介して接続された他の端末と通信を行う携帯端末であって、
データを記憶する記憶部と、
前記ケーブルを介して前記他の端末が接続されると、ユーザ認証を行う認証部と、
前記記憶部に記憶されているデータの閲覧を要求する旨が前記他の端末から入力されると、前記認証部による前記ユーザ認証が成功している場合には、前記データを前記他の端末に出力する制御部と、を有することを特徴とする携帯端末。
【請求項２】
請求項１記載の携帯端末において、
操作入力が行われる操作部をさらに有し、
前記認証部は、前記ケーブルを介して前記他の端末が接続された時点で前記操作部に所定の操作入力が行われているか否かにより、前記ユーザ認証の成否を判定することを特徴とする携帯端末。
【請求項３】
請求項１記載の携帯端末において、
操作入力が行われる操作部をさらに有し、
前記認証部は、認証用パスワードを記憶し、前記操作部を介して入力されたパスワードと前記認証用パスワードとが一致するか否かにより、前記ユーザ認証の成否を判定することを特徴とする携帯端末。
【請求項４】
請求項１記載の携帯端末において、
前記認証部は、認証用パスワードを記憶し、前記ケーブルを介して前記他の端末から送信されてきたパスワードと前記認証用パスワードとが一致するか否かにより、前記ユーザ認証の成否を判定することを特徴とする携帯端末。
【請求項５】
他の端末とケーブルを介して接続可能であり、前記ケーブルを介して接続された他の端末と通信を行う携帯端末の制御方法であって、
データを記憶し、
前記ケーブルを介して前記他の端末が接続されると、ユーザ認証を行い、
前記記憶しているデータの閲覧を要求する旨が前記他の端末から入力されると、前記ユーザ認証が成功している場合には、前記データを前記他の端末に出力することを特徴とする携帯端末の制御方法。
【請求項６】
請求項５記載の携帯端末の制御方法において、
前記ケーブルを介して前記他の端末が接続された時点で前記所定の操作入力が行われているか否かにより、前記ユーザ認証の成否を判定することを特徴とする携帯端末の制御方法。
【請求項７】
請求項５記載の携帯端末の制御方法において、
認証用パスワードを記憶し、
入力されたパスワードと前記認証用パスワードとが一致するか否かにより、前記ユーザ認証の成否を判定することを特徴とする携帯端末の制御方法。
【請求項８】
請求項５記載の携帯端末の制御方法において、
認証用パスワードを記憶し、
前記ケーブルを介して前記他の端末から送信されてきたパスワードと前記認証用パスワードとが一致するか否かにより、前記ユーザ認証の成否を判定することを特徴とする携帯端末の制御方法。
【発明の詳細な説明】
【技術分野】
【０００１】
本発明は、携帯端末およびその制御方法に関する。
【背景技術】
【０００２】
携帯電話、スマートフォンなどの携帯端末には、電話帳データや画像データなどの種々のデータが記憶されている。一般に、携帯電話、スマートフォンなどが備える表示部のサイズは小さいため、携帯端末内に記憶されているデータを、より大きな表示部を備えたパーソナルコンピュータ上で閲覧するというように、携帯端末内に記憶されているデータを他の端末上で閲覧したい場合がある。この場合、通常、携帯端末内に記憶されているデータを他の端末上で閲覧するには、携帯端末および他の端末が共に読み込み、書き込みが可能な記憶媒体を用いて携帯端末と他の端末との間でデータの移動を行う必要があるため、手間がかかる。
【０００３】
そこで、特許文献１（特開２００４−２０８０５２号公報）には、携帯端末と他の端末とをケーブルを介して接続し、携帯端末内のデータを携帯端末から読み出して、他の端末上で閲覧可能とする技術が開示されている。この技術によれば、記憶媒体を用いて携帯端末と他の端末との間でデータの移動を行うことなく、ケーブルを介して携帯端末と他の端末とを接続するだけで、携帯端末内のデータを他の端末上で閲覧することができる。
【先行技術文献】
【特許文献】
【０００４】
【特許文献１】特開２００４−２０８０５２号公報
【発明の概要】
【発明が解決しようとする課題】
【０００５】
特許文献１に開示の技術においては、携帯端末と他の端末とをケーブルを介して接続するだけで携帯端末内のデータの閲覧が可能となるため、携帯端末のユーザ以外の第三者にも、勝手に携帯端末内のデータが閲覧されてしまうおそれがある。
【０００６】
本発明の目的は、第三者によりデータを閲覧される可能性を低減することができる携帯端末およびその制御方法を提供することにある。
【課題を解決するための手段】
【０００７】
上記目的を達成するために本発明の携帯端末は、
他の端末とケーブルを介して接続可能であり、前記ケーブルを介して接続された他の端末と通信を行う携帯端末であって、
データを記憶する記憶部と、
前記ケーブルを介して前記他の端末が接続されると、ユーザ認証を行う認証部と、
前記記憶部に記憶されているデータの閲覧を要求する旨が前記他の端末から入力されると、前記認証部による前記ユーザ認証が成功している場合には、前記データを前記他の端末に出力する制御部と、を有する。
【０００８】
上記目的を達成するために本発明の携帯端末の制御方法は、
他の端末とケーブルを介して接続可能であり、前記ケーブルを介して接続された他の端末と通信を行う携帯端末の制御方法であって、
データを記憶し、
前記ケーブルを介して前記他の端末が接続されると、ユーザ認証を行い、
前記記憶しているデータの閲覧を要求する旨が前記他の端末から入力されると、前記ユーザ認証が成功している場合には、前記データを前記他の端末に出力することを特徴とする。
【発明の効果】
【０００９】
本発明によれば、第三者によりデータを閲覧される可能性を低減することができる。
【図面の簡単な説明】
【００１０】
【図１】本発明の一実施形態の携帯端末の使用態様の一例を示す図である。
【図２】図１に示す携帯端末の要部構成を示すブロック図である。
【図３】図２に示す携帯端末の動作の一例を示すフローチャートである。
【図４】図２に示す携帯端末の動作の他の一例を示すフローチャートである。
【図５】図２に示す携帯端末の動作の他の一例を示すフローチャートである。
【発明を実施するための形態】
【００１１】
以下に、本発明を実施するための形態について図面を参照して説明する。
【００１２】
図１は、本発明の一実施形態の携帯端末１０の使用態様の一例を示す図である。
【００１３】
携帯端末１０は、携帯電話、スマートフォンなどであり、電話帳データや画像データなど種々のデータを記憶する。携帯端末１０は、通常、内蔵している電池からの給電により動作するが、他の端末２０とケーブル３０を介して接続されると、ケーブル３０を介して他の端末２０から給電される。他の端末２０の具体例としては、携帯電話、スマートフォン、パーソナルコンピュータなどがある。
【００１４】
他の端末２０とケーブル３０を介して接続されると、携帯端末１０は、他の端末２０と通信可能となり、他の端末２０から携帯端末１０内のデータの閲覧を要求する旨が入力されると、そのデータを他の端末２０に出力する。こうすることで、携帯端末１０が電池不足などにより動作させることができない場合にも、他の端末２０上で携帯端末１０内のデータの閲覧が可能となる。
【００１５】
次に、携帯端末１０の要部構成について図２を参照して説明する。
【００１６】
携帯端末１０は、記憶部１１と、操作部１２と、接続端子１３と、認証部１４と、制御部１５と、を有する。なお、図２においては、携帯端末１０が備える表示機能や無線通信機能などの種々の機能を実現するためのブロック、携帯端末１０が内蔵している電池、給電系統などについては記載を省略している。
【００１７】
記憶部１１は、電話帳データや画像データなどの種々のデータを記憶する。
【００１８】
操作部１２は、ユーザからの操作入力を受け付け、受け付けた操作入力を示す信号を制御部１５に出力する。なお、操作部１２の具体例としては、１または複数の物理的なボタンやタッチパネルなどがある。
【００１９】
接続端子１３は、給電用などのケーブルが接続される端子である。
【００２０】
認証部１４は、接続端子１３にケーブル３０が接続されると、接続端子１３にケーブル３０を接続したユーザが正規ユーザ（携帯端末１０のユーザ）であるか、ユーザ認証を行う。なお、認証処理の詳細については後述する。
【００２１】
制御部１５は、ケーブル３０を介して接続された他の端末２０から記憶部１１に記憶されているデータの閲覧を要求する旨が入力されると、認証部１４によるユーザ認証が成功している（正規ユーザとして認証されている）場合には、そのデータを記憶部１１から読み出し、ケーブル３０を介して他の端末２０に出力する。
【００２２】
次に、本実施形態の携帯端末１０の動作について図３を参照して説明する。
【００２３】
なお、以下では、携帯端末１０に内蔵されている電池の残量が不足し、携帯端末１０が動作できない状態であるとする。
【００２４】
接続端子１３にケーブルが接続され、そのケーブルを介して給電が開始されると、制御部１５は、接続端子１３から出力される信号の状態に基づき、他の端末２０からの給電であるか否かを判定する（ステップＳ３１）。
【００２５】
接続端子１３には、他の端末２０から携帯端末１０に給電するためのケーブルや商用電源から携帯端末１０に給電するためのケーブルなどが接続される。ここで、他の端末２０から給電するためのケーブルと商用電源から給電するためのケーブルとで、仕様の異なるケーブルが用いられることがある。接続端子１３は、接続されたケーブルの仕様に応じた信号を出力する。制御部１５は、接続端子１３から出力される信号の状態に基づいて、他の端末２０からの給電であるか否かを判定する。
【００２６】
また、他の端末２０からの給電である旨を示す信号が、ケーブルの接続時に他の端末２０から携帯端末１０に入力されるようにしてもよい。接続端子１３を介して他の端末２０からの給電である旨を示す信号が入力されると、制御部１５は、他の端末２０からの給電であると判定する。なお、他の端末２０からの給電である旨を示す信号を他の端末２０から出力させる方法としては、ユーザが他の端末２０の動作モードを通常モードから給電モードに切り替え、給電モードへの切り替えにより、他の端末２０が、他の端末２０からの給電である旨を示す信号を出力するという方法などがある。
【００２７】
他の端末２０からの給電でない場合には（ステップＳ３１：Ｎｏ）、制御部１５は、携帯端末１０を起動させずに処理を終了する（ステップＳ３２）。
【００２８】
他の端末２０からの給電である場合には（ステップＳ３１：Ｙｅｓ）、制御部１５は、その旨を認証部１４に通知する。また、制御部１５は、ケーブル接時点での操作部１２への操作入力を示す信号が操作部１２から出力されている場合には、その信号を認証部１４に出力する。
【００２９】
認証部１４は、他の端末２０からの給電である旨が通知されると、制御部１５から出力された信号が、ユーザにより予め定められた所定の操作入力を示すものである否かを判定する（ステップＳ３３）。
【００３０】
ここで、所定の操作入力としては、操作部１２が複数の物理的なボタンからなる場合には、その複数のボタンのうち、所定のボタンを押下する旨の操作入力がある。押下されるボタンは１つであってもよいし、複数であってもよい。
【００３１】
制御部１５から出力された信号が所定の操作入力を示すものでない場合には（ステップＳ３３：Ｎｏ）、認証部１４は、ケーブル３０の接続時に操作入力を行ったユーザを正規ユーザとして認証せず、ユーザ認証に失敗した旨を制御部１５に出力する。認証部１４からユーザ認証に失敗した旨が出力されると、制御部１５は、ステップＳ３２の処理に進む。
【００３２】
制御部１５から出力された信号が所定の操作入力を示すものである場合には（ステップＳ３３：Ｙｅｓ）、認証部１４は、ケーブル３０の接続時に操作入力を行ったユーザを正規ユーザとして認証し、ユーザ認証に成功した旨を制御部１５に出力する。認証部１４からユーザ認証に成功した旨が出力されると、制御部１５は、携帯端末１０を外部電源モードで起動させる。
【００３３】
外部電源モードにおいては、制御部１５は、図１においては表示部や無線通信部などは起動させず、記憶部１１に記憶されているデータを他の端末２０に出力するために必要なブロックのみを起動させる。すなわち、制御部１５は、外部電源モードにおいては、携帯端末１０に内蔵されている電池により給電される通常動作モード時よりも、表示機能や無線通信機能などの携帯端末１０の備える機能を制限して、携帯端末１０を起動させる（ステップＳ３４）。
【００３４】
このように、携帯端末１０の備える機能の一部制限して起動させることで、携帯端末１０における消費電力を低減することができる。また、給電元である他の端末２０も内蔵する電池により給電されるものである場合に、他の端末２０が電池残量の不足により動作できなくなる可能性を低減することができる。
【００３５】
次に、制御部１５は、記憶部１１に記憶されているデータの閲覧を要求する旨がケーブル３０を介して他の端末２０から入力されたか否かを判定する（ステップＳ３５）。
【００３６】
データの閲覧を要求する旨が他の端末２０から入力された場合には（ステップＳ３５：Ｙｅｓ）、制御部１５は、そのデータを記憶部１１から読み出し、ケーブル３０を介して他の端末２０に出力する（ステップＳ３６）。
【００３７】
次に、制御部１５は、ケーブル３０が外されたか否かを判定する（ステップＳ３７）。
【００３８】
ケーブル３０が外されていない場合には（ステップＳ３７：Ｎｏ）、制御部１５は、ステップＳ３５の処理に進む。
【００３９】
ケーブル３０が外された場合には（ステップＳ３７：Ｙｅｓ）、制御部１５は、処理を終了する。
【００４０】
データの閲覧を要求する旨が他の端末２０から入力されていない場合には（ステップＳ３５：Ｎｏ）、制御部１５は、ステップＳ３７の処理に進む。
【００４１】
他の端末２０においては、携帯端末１０から出力されたデータが表示部に表示される。こうすることで、携帯端末１０に内蔵されている電池の残量が不足し、携帯端末１０が動作できない場合にも、ユーザは、携帯端末１０に内蔵されているデータを閲覧することができる。
【００４２】
また、他の端末２０が携帯電話やスマートフォンなどであり、また、閲覧要求により他の端末２０に出力されたデータが電話帳データである場合には、ユーザは、その電話帳データを基に、他の端末２０を用いて電話をかけることができる。
【００４３】
このように本実施形態によれば、携帯端末１０は、ケーブル３０を介して他の端末２０と接続されると、ユーザ認証を行い、ユーザ認証に成功した場合には、他の端末２０から携帯端末１０内のデータの閲覧要求があると、そのデータを他の端末２０に出力する。
【００４４】
そのため、携帯端末１０のユーザ以外の第三者が、単にケーブル３０を介して携帯端末１０と他の端末２０とを接続させても、他の端末２０上で携帯端末１０内に記憶されているデータを閲覧することができなくなる。
【００４５】
なお、本実施形態においては、認証部１４は、ケーブル３０の接続時に所定の操作入力が行われているか否かに基づいてユーザ認証を行う例を用いて説明したが、これに限られるものではない。
【００４６】
図４は、携帯端末１０の動作の他の一例を示すフローチャートである。図４において、図３と同様の処理については同じ符号を付し、説明を省略する。
【００４７】
制御部１５は、他の端末２０からの給電であると判定すると（ステップＳ３１：Ｙｅｓ）、パスワード入力を要求する旨を他の端末２０に出力する（ステップＳ４１）。この要求に応じて、他の端末２０を用いてパスワード入力が行われ、入力パスワードがケーブル３０を介して送信されてくると、認証部１４は、その入力パスワードを取得する。
【００４８】
認証部１４は、ユーザにより予め設定された認証用パスワードを記憶しており、その認証用パスワードと入力パスワードとが一致するか否かを判定する（ステップＳ４２）。
【００４９】
認証用パスワードと入力パスワードとが一致する場合には（ステップＳ４２：Ｙｅｓ）、認証部１４は、パスワード入力を行ったユーザを正規ユーザとして認証し、ユーザ認証に成功した旨を制御部１５に出力する。認証部１４からユーザ認証に成功した旨が出力されると、制御部１５は、携帯端末１０を外部電源モードで起動させる（ステップＳ３４）。
【００５０】
認証用パスワードと入力パスワードとが一致しない場合には（ステップＳ４２：Ｎｏ）、認証部１４は、パスワード入力を行ったユーザを正規ユーザとして認証せず、ユーザ認証に失敗した旨を制御部１５に出力する。認証部１４からユーザ認証に失敗した旨が出力されると、制御部１５は、ステップＳ４１の処理に進む。なお、制御部１５は、誤ったパスワードが複数回入力された場合には、ステップＳ３２の処理に進むようにしてもよい。
【００５１】
また、図４においては、他の端末２０上でパスワード入力やデータの閲覧が行われる例を用いて説明したが、これに限られるものではなく、携帯端末１０上でパスワード入力やデータの閲覧が行われるようにしてもよい。このような携帯端末１０の動作を図５に示すフローチャートを参照して説明する。図５において、図４と同様の処理については同じ符号を付し、説明を省略する。
【００５２】
制御部１５は、他の端末２０からの給電であると判定すると（ステップＳ３１：Ｙｅｓ）、携帯端末１０を外部電源モードで起動させる（ステップＳ５１）。ここで、制御部１５は、ステップＳ３４などでは起動させなかった表示部についても起動させる。
【００５３】
次に、制御部１５は、表示部にパスワード入力を要求する旨を表示させる（ステップＳ５２）。
【００５４】
操作部１２を介してパスワード入力が行われると、制御部１５は、入力パスワードを認証部１４に出力する。認証部１４は、認証用パスワードと入力パスワードとが一致するか否かを判定する（ステップＳ５３）。
【００５５】
認証用パスワードと入力パスワードとが一致しない場合（ステップＳ５３：Ｎｏ）、認証部１４は、パスワード入力を行ったユーザを正規ユーザとして認証せず、ユーザ認証に失敗した旨を制御部１５に出力する。認証部１４からユーザ認証に失敗した旨が出力されると、制御部１５は、ステップＳ５２の処理に進む。
【００５６】
認証用パスワードと入力パスワードとが一致する場合には（ステップＳ５３：Ｙｅｓ）、認証部１４は、パスワード入力を行ったユーザを正規ユーザとして認証し、ユーザ認証に成功した旨を制御部１５に出力する。認証部１４からユーザ認証に成功した旨が出力されると、制御部１５は、操作部１２を介して記憶部１１に記憶されているデータの閲覧を要求する旨が入力されたか否かを判定する（ステップＳ５４）。
【００５７】
データの閲覧を要求する旨が入力されていない場合には（ステップＳ５４：Ｎｏ）、制御部１５は、ステップＳ３７の処理に進む。
【００５８】
データの閲覧を要求する旨が入力された場合には（ステップＳ５４：Ｙｅｓ）、制御部１５は、そのデータを記憶部１１から読み出し、表示部に表示させ（ステップＳ５５）、その後、ステップＳ３７の処理に進む。
【００５９】
携帯端末１０と他の端末２０とでユーザが異なる場合がある。そのような場合に、携帯端末１０上でパスワード入力やデータの閲覧が行われるようすることで、携帯端末１０の消費電力は増加するが、携帯端末１０のユーザは、自身が使い慣れた携帯端末１０を用いてデータを閲覧することができる。また、他の端末２０を携帯端末１０のユーザが操作することがなくなるので、他の端末２０のユーザにとっても安心感を高めることができる。
【００６０】
上記の実施形態の一部または全部は、以下の付記のようにも記載されうるが、以下には限られない。
【００６１】
（付記１）
他の端末とケーブルを介して接続可能であり、前記ケーブルを介して接続された他の端末と通信を行う携帯端末であって、
データを記憶する記憶部と、
前記ケーブルを介して前記他の端末が接続されると、ユーザ認証を行う認証部と、
前記記憶部に記憶されているデータの閲覧を要求する旨が前記他の端末から入力されると、前記認証部による前記ユーザ認証が成功している場合には、前記データを前記他の端末に出力する制御部と、を有することを特徴とする携帯端末。
【００６２】
（付記２）
付記１記載の携帯端末において、
操作入力が行われる操作部をさらに有し、
前記認証部は、前記ケーブルを介して前記他の端末が接続された時点で前記操作部に所定の操作入力が行われているか否かにより、前記ユーザ認証の成否を判定することを特徴とする携帯端末。
【００６３】
（付記３）
付記１記載の携帯端末において、
操作入力が行われる操作部をさらに有し、
前記認証部は、認証用パスワードを記憶し、前記操作部を介して入力されたパスワードと前記認証用パスワードとが一致するか否かにより、前記ユーザ認証の成否を判定することを特徴とする携帯端末。
【００６４】
（付記４）
付記１記載の携帯端末において、
前記認証部は、認証用パスワードを記憶し、前記ケーブルを介して前記他の端末から送信されてきたパスワードと前記認証用パスワードとが一致するか否かにより、前記ユーザ認証の成否を判定することを特徴とする携帯端末。
【００６５】
（付記５）
他の端末とケーブルを介して接続可能であり、前記ケーブルを介して接続された他の端末と通信を行う携帯端末の制御方法であって、
データを記憶し、
前記ケーブルを介して前記他の端末が接続されると、ユーザ認証を行い、
前記記憶しているデータの閲覧を要求する旨が前記他の端末から入力されると、前記ユーザ認証が成功している場合には、前記データを前記他の端末に出力することを特徴とする携帯端末の制御方法。
【００６６】
（付記６）
付記５記載の携帯端末の制御方法において、
前記ケーブルを介して前記他の端末が接続された時点で前記所定の操作入力が行われているか否かにより、前記ユーザ認証の成否を判定することを特徴とする携帯端末の制御方法。
【００６７】
（付記７）
付記５記載の携帯端末の制御方法において、
認証用パスワードを記憶し、
入力されたパスワードと前記認証用パスワードとが一致するか否かにより、前記ユーザ認証の成否を判定することを特徴とする携帯端末の制御方法。
【００６８】
（付記８）
付記５記載の携帯端末の制御方法において、
認証用パスワードを記憶し、
前記ケーブルを介して前記他の端末から送信されてきたパスワードと前記認証用パスワードとが一致するか否かにより、前記ユーザ認証の成否を判定することを特徴とする携帯端末の制御方法。
【符号の説明】
【００６９】
１０    携帯端末
１１    記憶部
１２    操作部
１３    接続端子
１４    認証部
１５    制御部
２０    端末
３０    ケーブル
【図２】
2013219482.tif 000003
【図３】
2013219482.tif 000004
【図４】
2013219482.tif 000005
【図５】
2013219482.tif 000006
【図１】
2013219482.tif 000007